(57)【特許請求の範囲】
【請求項１】
建物の壁の表側に少なくとも前面を露出させた状態で壁に配設された器体の前面に、電力供給および情報信号の授受を行うために先行配線された電線に電気的に接続された接続部を備えるゲート装置と、
前記接続部に接続される被接続部を具備し、ゲート装置の前面側に取着され、ゲート装置を介して電力供給又は情報信号の授受の内の少なくとも何れか一方又は両方を行う機能モジュールとを備え、
前記ゲート装置および前記機能モジュールには、前記機能モジュールと前記ゲート装置とを機械的に接続して、前記機能モジュールの抜け止めを行う抜止手段が設けられ、
前記接続部および前記被接続部の内の一方が引掛栓刃を備えるとともに、
前記接続部および前記被接続部の内の他方が、前記引掛栓刃に対応する部位に略円弧状に開口した栓刃挿入口と、当該栓刃挿入口の一端側から挿入された前記引掛栓刃の他端側への移動時に前記引掛栓刃を引掛保持する刃受部材とを備え、
引掛栓刃と刃受部材とで前記抜止手段が構成されたことを特徴とする配線システム。
【請求項２】
建物の壁の表側に少なくとも前面を露出させた状態で壁に配設された器体の前面に、電力供給および情報信号の授受を行うために先行配線された電線に電気的に接続された接続部を備えるゲート装置と、
前記接続部に接続される被接続部を具備し、ゲート装置の前面側に取着され、ゲート装置を介して電力供給又は情報信号の授受の内の少なくとも何れか一方又は両方を行う機能モジュールとを備え、
前記ゲート装置および前記機能モジュールには、前記機能モジュールと前記ゲート装置とを機械的に接続して、前記機能モジュールの抜け止めを行う抜止手段が設けられ、
前記接続部および前記被接続部の内の一方が引掛端子を備えるとともに、
前記接続部および前記被接続部の内の他方が、前記引掛端子に対応する部位に、造営面への取付状態において鉛直方向に沿って形成された端子挿入口と、当該端子挿入口の上端側から挿入された前記引掛端子の下端側への移動時に前記引掛端子を引掛保持する被接続端子とを備え、
引掛端子と被接続端子とで前記抜止手段が構成されたことを特徴とする配線システム。
【請求項３】
前記機能モジュールと並べて造営面の表面に配設され、前記機能モジュールを介して電力の供給と情報信号の授受の内少なくとも何れか一方又は両方を行う拡張機能モジュールを設けたことを特徴とする請求項１又は２の何れか１つに記載の配線システム。
【請求項４】
前記電線が、電源供給のための電力線と、情報信号を伝送するための情報線とで構成されることを特徴とする請求項１乃至３の何れか１つに記載の配線システム。
【請求項５】
前記電線が電源供給のための電力線からなり、前記電力線を介して電力線搬送通信により情報信号を授受する電力線搬送通信手段を基本機能モジュール又は拡張機能モジュールの内の少なくとも何れか一方に設けたことを特徴とする請求項１乃至３の何れか１つに記載の配線システム。
【発明の詳細な説明】
【技術分野】
【０００１】
本発明は、配線システムに関するものである。
【背景技術】
【０００２】
従来、端末器を通じて負荷の操作（監視）制御を行うシステムには、中央監視装置から端末器へ、複極のベースバンド信号からなる伝送信号を時分割多重によって送り、各端末器ではこの伝送信号を利用して情報の授受を行うとともに、端末回路部の電源を得るシステムがあった（特許文献１）。
【０００３】
そしてこのシステムでは、埋め込み型の配線器具用に規格されているスイッチボックスとこれに対応する取付枠を用いて操作スイッチ等を設けた操作用端末器を壁面に埋め込み配設することで、従前の壁スイッチと同様な使い方が行われるようになっている。また２組の操作用端末器を取り付ける場合には、２つの取付窓を備えた２連用の取付枠を用い、取付枠の片側の一連分を一連型のスイッチボックスに取り付け、残りの片側を壁面に沿わせるように配置し、夫々の取付窓に操作用端末器を取り付けることで、２つの操作用端末器を併設する構成を採用していた。また取付窓間に設けた導電片を両側の取付窓に設けた操作用端末器のリード片を接触させることで、一方の操作用端末器（スイッチボックス側）から他方の操作用端末器へ信号線を送り配線する構成となっている。
【０００４】
ところで、このような従来システムでは伝送信号により端末器の端末回路部に電力を供給することができるものの、例えば信号線の電流容量等の制限から制御用端末器により制御される負荷への電源供給は夫々の設置場所において商用電源から供給する構成であった。そのため、２線の信号線を各端末器間で接続するだけでよいため、信号線について省配線化を図ることできるものの、負荷に対する電源線の配線が従前のままであるため、制御用端末器の設置場所が限定されるという課題があった。
【０００５】
そこで、このような課題を解決するために、造営面に埋込配設されて、先行配線された電力線および情報線を外部の電力路および情報路にそれぞれ接続する電力路接続口および情報路接続口を有したゲート装置と、ゲート装置の電力路接続口および情報路接続口に差込接続される被接続部を具備して被接続部を両接続口に差込接続することによってゲート装置の前面側に取着され、ゲート装置を介して電力の供給と情報信号の授受とを行う基本機能モジュールと、当該基本機能モジュールに連結され、基本機能モジュールを介して少なくとも電力の供給と情報信号の伝達との何れかが行われる拡張機能モジュールとを用いた配線システムが提案されており、この配線システムではゲート装置に基本機能モジュールを接続するとともに、基本機能モジュールに対して拡張機能モジュールを連結することで、各機能モジュールにおいて電力路や情報路を確保できるようになっている。
【特許文献１】特許第３１３６００６号公報（段落番号０００４，０００５、００１５、図１、図３７）
【発明の開示】
【発明が解決しようとする課題】
【０００６】
上述の配線システムでは、ゲート装置に基本機能モジュールを接続するとともに、基本機能モジュールに対して１乃至複数の拡張機能モジュールを横並びに連結している。そのため、ゲート装置と基本機能モジュールとの接続部位には、基本機能モジュールの自重や、拡張機能モジュールの重さによって荷重が加わることになり、この荷重により基本機能モジュールがゲート装置から容易に外れないようにする必要がある。
【０００７】
本発明は上記問題点に鑑みて為されたものであり、その目的とするところは、基本機能モジュールがゲート装置から外れにくくした配線システムを提供することにある。
【課題を解決するための手段】
【０００８】
上記目的を達成するために、請求項１の発明は、建物の壁の表側に少なくとも前面を露出させた状態で壁に配設された器体の前面に、電力供給および情報信号の授受を行うために先行配線された電線に電気的に接続された接続部を備えるゲート装置と、接続部に接続される被接続部を具備し、ゲート装置の前面側に取着され、ゲート装置を介して電力供給又は情報信号の授受の内の少なくとも何れか一方又は両方を行う機能モジュールとを備え、ゲート装置および機能モジュールには、機能モジュールとゲート装置とを機械的に接続して、機能モジュールの抜け止めを行う抜止手段が設けられ、接続部および被接続部の内の一方が引掛栓刃を備えるとともに、接続部および被接続部の内の他方が、引掛栓刃に対応する部位に略円弧状に開口した栓刃挿入口と、当該栓刃挿入口の一端側から挿入された引掛栓刃の他端側への移動時に引掛栓刃を引掛保持する刃受部材とを備え、引掛栓刃と刃受部材とで抜止手段が構成されたことを特徴とする。
【００１０】
請求項２の発明は、建物の壁の表側に少なくとも前面を露出させた状態で壁に配設された器体の前面に、電力供給および情報信号の授受を行うために先行配線された電線に電気的に接続された接続部を備えるゲート装置と、接続部に接続される被接続部を具備し、ゲート装置の前面側に取着され、ゲート装置を介して電力供給又は情報信号の授受の内の少なくとも何れか一方又は両方を行う機能モジュールとを備え、ゲート装置および機能モジュールには、機能モジュールとゲート装置とを機械的に接続して、機能モジュールの抜け止めを行う抜止手段が設けられ、接続部および被接続部の内の一方が引掛端子を備えるとともに、接続部および被接続部の内の他方が、引掛端子に対応する部位に、造営面への取付状態において鉛直方向に沿って形成された端子挿入口と、当該端子挿入口の上端側から挿入された引掛端子の下端側への移動時に引掛端子を引掛保持する被接続端子とを備え、引掛端子と被接続端子とで抜止手段が構成されたことを特徴とする。
【００１２】
請求項３の発明は、請求項１又は２の何れか１つの発明において、機能モジュールと並べて造営面の表面に配設され、機能モジュールを介して電力の供給と情報信号の授受の内少なくとも何れか一方又は両方を行う拡張機能モジュールを設けたことを特徴とする。
【００１３】
請求項４の発明は、請求項１乃至３の何れかの発明において、電線が、電源供給のための電力線と、情報信号を伝送するための情報線とで構成されることを特徴とする。
【００１４】
請求項５の発明は、請求項１乃至３の何れかの発明において、電線が電源供給のための電力線からなり、電力線を介して電力線搬送通信により情報信号を授受する電力線搬送通信手段を基本機能モジュール又は拡張機能モジュールの内の少なくとも何れか一方に設けたことを特徴とする。
【発明の効果】
【００１５】
請求項１の発明によれば、機能モジュールとゲート装置とを機械的に接続して、機能モジュールの抜け止めを行う抜止手段を設けているので、機能モジュールが荷重によりゲート装置から脱落するのを防止することができる。
【００１６】
そのうえ、引掛栓刃を栓刃挿入口の一端側から挿入して、栓刃挿入口の他端側へ移動させると、引掛栓刃が刃受部材によって引掛保持されるので、機能モジュールが荷重によりゲート装置から脱落するのを防止できる。しかも引掛栓刃を栓刃挿入口の他端側から一端側へ移動させると、引掛栓刃と刃受部材との保持状態が解除されるから、機能モジュールをゲート装置から容易に取り外すことができる。さらに引掛栓刃と刃受部材とで電気的な接続と機械的な保持の両方を行うことができるから、電気的な接続を行う部材で機械的な保持を行う部材を兼用でき、部品数を削減してゲート装置や機能モジュールの小型化を図ることができる。
【００１７】
請求項２の発明によれば、機能モジュールとゲート装置とを機械的に接続して、機能モジュールの抜け止めを行う抜止手段を設けているので、機能モジュールが荷重によりゲート装置から脱落するのを防止することができる。そのうえ、引掛端子を端子挿入口の上端側から挿入して、端子挿入口の下端側へ移動させると、引掛端子が被接続端子によって引掛保持されるので、機能モジュールが荷重によりゲート装置から脱落するのを防止できる。しかも引掛端子を端子挿入口の下端側から上端側へ移動させると、引掛端子と被接続端子との保持状態が解除されるから、機能モジュールをゲート装置から容易に取り外すことができる。さらに引掛端子と被接続端子とで電気的な接続と機械的な保持の両方を行うことができるから、電気的な接続を行う部材で機械的な保持を行う部材を兼用でき、部品数を削減してゲート装置や機能モジュールの小型化を図ることができる。
【００１９】
請求項３の発明によれば、機能モジュールに対して拡張機能モジュールを接続することによって、機能の追加や変更にも容易に対応することができる。
【００２０】
請求項４の発明によれば、電力線と情報線とを用いて電力の供給と情報信号の伝送とを行うことができる。
【００２１】
請求項５の発明によれば、電力線で情報線を兼用しているので、電線の本数を減らして、配線施工を簡略化することができる。
【発明を実施するための最良の形態】
【００２２】
以下に本発明の実施の形態を図面に基づいて説明する。
【００２３】
（実施形態１）
本実施形態の配線システムは、図１２および図１３に示すように建物内の適所において埋込配設している１乃至複数のスイッチボックス２を基本ベースとして用いる。これらのスイッチボックス２間には壁面内に先行配線した電力線Ｌ１と情報線Ｌ２とを送り配線してある。また始端のスイッチボックス２に対しては、屋外より配線ボックス１内に引き込まれた電力線Ｌ１が、主幹ブレーカＭＢおよび分岐ブレーカＢＢを介して導入されるとともに、外部のインターネット網ＮＴにゲートウェイＧＷ（必要に応じてルータ、ハブ）を介して接続されている情報線Ｌ２を導入してある。
【００２４】
これらのスイッチボックス２は、例えばＪＩＳで規格化された大角形連用配線器具の１個モジュール寸法に形成された埋込型配線器具を３個取り付けることができる１連の取付枠４（図１参照）に対応して規格化されており、配線ボックス１又は他のスイッチボックス２から送り配線されてくる電力線Ｌ１及び情報線Ｌ２をボックス内に導入するとともに、他のスイッチボックス２へ送り配線するための電力線Ｌ１及び情報線Ｌ２をボックス外へ導出している。そして、各スイッチボックス２には取付枠４を介してゲート装置３を夫々取り付けてあり、このゲート装置に本発明の機能装置を構成する基本機能モジュール８を接続してある。
【００２５】
取付枠４は、図１に示すように器具取付用の窓孔４ａを中央に設けてあって、この窓孔４ａに取付対象の器具本体の前部を背方から嵌め、左右両側の枠片に設けた係止手段に器具本体の両側に設けた被係止部を係止させて、器具本体を固定するようになっている。そして、取付枠４の上下両側の枠片に設けた取付孔４ｂに取付ねじ（図示せず）を挿通し、この取付ねじをスイッチボックス２のねじ孔（図示せず）に締結することで、取付枠４が器具本体ごとスイッチボックス２に取り付けられる。また、スイッチボックス２を用いずに、埋込孔を開口した壁パネルに取付枠４を取り付ける場合には、所謂挟み金具で壁パネルを挟持させて取り付けたり、木ねじを用いて取り付けることもできるようになっている。
【００２６】
ゲート装置３は、図６（ｂ）に示すように器体３ａの背面部に速結端子構造の接続端子部５ａ，５ｂ及び送り配線用の接続端子部５ａ’、５ｂ’を設け、夫々に対応する電力線Ｌ１および情報線Ｌ２を接続するようになっている。また器体３ａの前面部には、図１に示すようにそれぞれ弧状に開口する２個の電源用栓刃挿入口４０，４０が約１８０度おきに形成されている。また器体３ａの前面部には、それぞれ弧状に開口する２個の情報用栓刃挿入口４１，４１が約１８０度おきに形成されており、電源用栓刃挿入口４０と情報用栓刃挿入口４１とは同一の円周上に形成されている。
【００２７】
そして、一対の電源用栓刃挿入口４０，４０にそれぞれ対応する部位で、器体３ａの内部には、電力線Ｌ１に電気的に接続されるとともに、各電源用栓刃挿入口４０の一端側（左回転方向の端部）の幅広部４０ａから挿入される後述の電源用引掛栓刃４４が各電源用栓刃挿入口４０の他端側に移動したときに各電源用引掛栓刃４４をそれぞれ保持する一対の電源用引掛刃受部材４２，４２を配設してある。電源用引掛刃受部材４２は図１４に示すように器体３ａの前面部と垂直な方向に並べて配置される一対の挟持片４２ａを有し、一対の挟持片４２ａの間にＬ字形に形成された電源用引掛栓刃４４の横片４４ａを挟持することで、電気的な接続と抜け止めとを行うようになっている。ここに、電源用引掛刃受部材４２と電源用引掛栓刃４４とで、基本機能モジュール８の抜け止めを行う抜止手段が構成される。なお本実施形態では基本機能モジュール８側に引掛栓刃４４を設けるとともに、ゲート装置３側に引掛刃受部材４２を設けているが、ゲート装置３側に引掛栓刃を設けるとともに、基本機能モジュール８側に引掛刃受部材を設けても良い。
【００２８】
また、一対の情報用栓刃挿入口４１，４１にそれぞれ対応する部位で、器体３ａの内側には、情報線Ｌ２に電気的に接続されるとともに、各情報用栓刃挿入口４１の一端側（左回転方向の端部）から挿入される後述の情報用栓刃４５が各情報用栓刃挿入口４１の他端側に移動したときに各情報用栓刃４５をそれぞれ保持する一対の情報用刃受部材４３，４３を配設してある。情報用刃受部材４３は、器体３ａの内部位置であって栓刃挿入口４１を間にした両側位置に配置される一対の接触片４３ａを有し、一対の接触片４３ａの間に短冊状に形成された情報用栓刃４５を挟持することで、電気的な接続を行うようになっている。ここに、各栓刃挿入口４０，４１の開口部の形状や各刃受部材４２，４３の形状はシステムとして定形化（規格化）されている。
【００２９】
基本機能モジュール８は、後述する拡張機能モジュール９と共に機能装置を構成するもので、図１〜図３に示すように合成樹脂製の扁平なモジュール本体８Ａを備えている。モジュール本体８Ａの背面には、ゲート装置３前面部に設けた一対の電源用栓刃挿入口４０に対応する部位に、各電源用栓刃挿入口４０に挿入されるＬ字形の一対の電源用引掛栓刃４４が突設されるとともに、一対の情報用栓刃挿入口４１に対応する部位に、各情報用栓刃挿入口４１に挿入される短冊状の一対の情報用栓刃４５が突設されている。
【００３０】
この基本機能モジュール８をゲート装置３に取り付けるに当たっては、基本機能モジュール８のモジュール本体８Ａをゲート装置３の前面部に前面側から近付けて、電源用引掛栓刃４４をゲート装置３に設けた対応する栓刃挿入口４０の一端側（幅広部４０ａ）に、情報用栓刃４５をゲート装置３に設けた対応する栓刃挿入口４１の一端側にそれぞれ挿入する。その後、モジュール本体８Ａを右回りに回転させると、各栓刃４４，４５が各栓刃挿入口４０，４１の他端側に移動して、各栓刃４４，４５が対応する刃受部材４２，４３に電気的に接続されるとともに、電源用引掛栓刃４４が電源用引掛刃受部材４２に引掛係止されて、モジュール本体８Ａがゲート装置３に対して機械的に接続される（図６及び図１４参照）。なおこの時、基本機能モジュール８の各栓刃４４，４５が対応する刃受部材４２，４３に電気的に接続されるので、基本機能モジュール８がゲート装置３を介して電力線Ｌ１および情報線Ｌ２に電気的に接続されることになる。また、上述のようにしてモジュール本体８Ａをゲート装置３の前面側に取着させると、モジュール本体８Ａがスイッチボックス２の前面開口を覆うとともに、周部のフランジをスイッチボックス２の前面開口周辺の壁面に重ねた状態となり、モジュール本体８Ａが取付枠４を介してスイッチボックス２に取り付けられるようになっている。
【００３１】
またモジュール本体８Ａの前面部には、図３（ａ）に示すように上下の両端位置において、モジュール本体８Ａの幅方向に延びる幅広溝８１ａと幅狭溝８１ｂとからなる連結用溝部８１を形成してあり、幅広溝８１ａおよび幅狭溝８１ｂは中央の仕切壁８２で左右に二分されている。この仕切壁８２の左側又は右側の連結用溝部８１には、図３（ｂ）に示すように合成樹脂製の連結体１０の片側半分を仕切壁８２に当たる位置まで嵌め込み、この連結体１０の残り半分を図４に示すように拡張機能モジュール９側に同様に設けてある連結用溝部８１に嵌め込むことで、基本機能モジュール８と拡張機能モジュール９とを機械的に結合できるようになっている。連結体１０は、幅広溝８１ａと幅狭溝８１ｂとを仕切る仕切壁８１ｃが嵌る溝１０ａを背面に設け、両溝８１ａ，８１ｂに跨るように挿入される。そして基本機能モジュール８では前面部側から化粧カバー８Ｂを着脱自在に被着することで、また拡張機能モジュール９では蓋部８３を閉じることで、両者の連結用溝部８１に跨るように嵌め込んである連結体１０を脱落しないように保持して、両機能モジュール８，９の連結状態を維持するようになっている。而して、連結体１０と連結用溝部８１とにより、基本機能モジュール８と拡張機能モジュール９とを水平方向に並べた状態で連結する連結手段が構成され、各機能モジュール８，９の接続方向が１方向に限定されないから、接続方向の自由度が向上するという効果がある。
【００３２】
次に基本機能モジュール８の内部回路を図７の回路構成図に基づいて説明する。基本機能モジュール８は、電源用引掛栓刃４４を介して接続される商用電源ＡＣを所定電圧に降下させるとともに周波数を高くし、この高い周波数に変換した低圧交流電源をコア１１に巻装したコイル１２に印加するＡＣ／ＡＣコンバータ１３と、低圧交流電源を整流平滑後、安定した直流電圧からなる内部回路の動作電源＋Ｖを得る直流電源部１４と、情報用栓刃４５を介して接続される情報線Ｌ２を通じて情報信号を双方向に伝送する送受信部１５と、送受信部１５が受信した情報信号をＥ／Ｏ変換し、発光素子ＬＥＤを通じて送出するＥ／Ｏ変換部１６と、後述する拡張機能モジュール９側から送られくる光信号からなる情報信号を受光素子ＰＤで受光しＯ／Ｅ変換して送受信部１５に渡すＯ／Ｅ変換部１７と、送受信部１５で受信される情報信号からデータを取り込んで処理を行うとともに、当該基本機能モジュール８から拡張機能モジュール９宛にデータを送る場合のデータ生成処理を行う演算処理部２６と、Ｉ／Ｏインターフェース２７を介して演算処理部２６との間でデータの授受を行って動作する機能部３０とを備え、この機能部３０の構成は基本機能モジュール８に付加した機能に応じて異なっている。なお図６に示すように基本機能モジュール８が、拡張機能モジュール９への電力供給機能および情報信号の伝達機能以外の機能を持たない場合には機能部３０は不要である。
【００３３】
コイル１２及びコア１１は基本機能モジュール８と連結する拡張機能モジュール９に電力を非接触で供給するための給電手段を構成するトランスの一次側となる電磁結合部を構成するもので、連結する拡張機能モジュール９（図８参照）側に設けたコイル１８を巻回したコア１９にコア１１が磁気結合してトランス作用によりコイル１８側に低圧交流電源電圧を誘起させて電源供給を行うようになっている。ここでＡＣ／ＡＣコンバータ１３により商用周波数よりも周波数が高い交流電源に変換することで、電磁結合部によるトランス構成の小型化を図っている。
【００３４】
一方Ｅ／Ｏ変換部１６の発光素子ＬＥＤは隣接する拡張機能モジュール９に情報信号を光信号により非接触で伝達するためのもので、連結された拡張機能モジュール９側のＯ／Ｅ変換部２０に設けた受光素子ＰＤに対置される。またＯ／Ｅ変換部１７の受光素子ＰＤは隣接する拡張機能モジュール９から光信号により伝達されてくる情報信号を受け取るためのもので、連接する拡張機能モジュール９側のＥ／Ｏ変換部２１の発光素子ＬＥＤに対置される。
【００３５】
ここにコア１１とコイル１２とからなる電磁結合部は図７では１組しか示していないが実際には電気的に並列な２組備え、またＥ／Ｏ変換部１６の発光素子ＬＥＤ、Ｏ／Ｅ変換部１７の受光素子ＰＤも夫々に別の発光素子ＬＥＤ、受光素子ＰＤを接続しており、モジュール本体８Ａの両側において側壁に近接する内部位置に夫々１組ずつ夫々配置してあるので、基本機能モジュール８に対して左右両側に拡張機能モジュール９を連設できるようになっている。
【００３６】
ここで発光素子ＬＥＤの発光部及び受光素子ＰＤの受光部が対向するモジュール本体８Ａの側壁部位は光信号が透過可能なように透明部Ｙとしてある。尚、モジュール本体８Ａの両側では、受光素子ＰＤと発光素子ＬＥＤの位置が上、下で逆になるように配置され、例えば右側では受光素子ＰＤを上、発光素子ＬＥＤを下とし、左側では受光素子ＰＤを下、発光素子ＬＥＤを上としてある。そして電磁結合部を構成するコア１１の先端部の配置位置と、受光素子ＰＤ及び発光素子ＬＥＤの配置位置の上下間隔はシステムとして規格化してある。
【００３７】
本実施形態の配線システムでは、機能の違いによって複数種類の拡張機能モジュール９が準備されているが、基本的には図５（ａ）に示すようにモジュール本体９Ａの高さ寸法を基本機能モジュール８と同じ高さ寸法に規格化すると共に、横幅寸法を規格化された単位モジュール寸法の整数倍に規格化してある。またモジュール本体９Ａの左右両側面の形状は基本機能モジュール８の側面と同形状とし、また背面を図５（ｂ），（ｃ）に示すように平坦面に形成して壁面に沿わせることができるようにしている。そして、モジュール本体９Ａの上下位置には上述の連結体１０を基本機能モジュール８と同様に挿入するための連結用溝部８１（幅広溝８１ａおよび幅狭溝８１ｂからなる）を設けるとともに、この連結用溝部８１を開閉する蓋部８３を設けてあり、連結体１０を装着する際や外す場合にはこの蓋部８３を開き、連結体１０の装着状態を保持する際には蓋部８３を閉じるようになっている（図５（ｃ）参照）。
【００３８】
モジュール本体９Ａ内には図８に示すように上述のコイル１８、コア１９からなる電磁結合部を２組備えて、モジュール本体９Ａの両側壁に近接する内部に配置するとともに、夫々のコイル１８同士を電気的に接続し、片側の電磁結合部が隣接する基本機能モジュール８又は拡張機能モジュール９の電磁結合部と電磁結合して電力を受け取る側（二次側）となると、他方の電磁結合部が電力供給側（一次側）となるようになっている。これらの電磁結合部を構成するコア１９の先端が近接配置されるモジュール本体９Ａの側面位置が磁気結合部Ｘとなる。また両電磁結合部のコイル１８，１８間を接続する線路には直流電源部２２を接続し、内部回路の動作電源＋Ｖを得るようになっている。
【００３９】
更に情報信号を授受するために、モジュール本体９Ａ内には連結する基本機能モジュール８又は拡張機能モジュール９から送られてくる光信号からなる情報信号を受光素子ＰＤで受光して電気的な信号に変換するＯ／Ｅ変換部２０と、電気信号からなる情報信号を隣接する基本機能モジュール８又は拡張機能モジュール９へ光信号からなる情報信号として発光素子ＬＥＤで送り出すためのＥ／Ｏ変換部２１と、Ｏ／Ｅ変換部２０からの電気信号からなる情報信号を受け取るとともに、電気信号からなる情報信号をＥ／Ｏ変換部２１へ送り出す情報信号送受信部２３とからなる情報信号送受信手段を二組設け、一方の組の発光素子ＬＥＤおよび受光素子ＰＤをモジュール本体９Ａの左側側壁近傍の内部に、また他方の組の発光素子ＬＥＤおよび受光素子ＰＤをモジュール本体９Ａの右側側壁近傍の内部に配置してある。ここで左側に配置される発光素子ＬＥＤの位置は受光素子ＰＤの下側に、また右側に配置される発光素子ＬＥＤの位置は受光素子ＰＤの上側に夫々を配置し、左側に連結される基本機能モジュール８又は拡張機能モジュール９の右側に配置されている発光素子ＬＥＤ、受光素子ＰＤに、左側配置した受光素子ＰＤ、発光素子ＬＥＤが夫々対向し、また右側に連結される基本機能モジュール８又は拡張機能モジュール９の左側に配置されている発光素子ＬＥＤ、受光素子ＰＤに右側配置した受光素子ＰＤ、発光素子ＬＥＤが夫々対向するようになっている。そして発光素子ＬＥＤ、受光素子ＰＤが対向しているモジュール本体９Ａの側壁は光信号が透過できるように基本機能モジュール８と同様に透明部Ｙとなっている。そして両側の情報信号送受信部２３，２３間をモジュール本体９Ａ内において、双方向の信号ライン２４で接続して、両側に隣接する基本機能モジュール８又は拡張機能モジュール９に対して情報信号を中継できるようになっている。
【００４０】
またモジュール本体９Ａ内には、信号ライン２４上の情報信号を受信するとともに、信号ライン２４上に情報信号を送出する送受信部２５と、この送受信部２５で受信される情報信号からデータを取り込んで処理を行うとともに、当該拡張機能モジュール９から他の拡張機能モジュール９宛にデータを送る場合のデータ生成処理を行う演算処理部２６と、Ｉ／Ｏインターフェース２７を介して演算処理部２６との間でデータの授受を行って動作する機能部３０とから構成され、この機能部３０の構成が拡張機能モジュール９の種類によって異なるのである。
【００４１】
ここで拡張機能モジュール９のモジュール本体９Ａの側面に磁気結合部Ｘ及び透明部Ｙが形成される位置は、図１および図２で示す基本機能モジュール８の側面の磁気結合部Ｘ及び透明部Ｙの位置と合うように規格化され、拡張機能モジュール９、９同士を連結させたとき或いは基本機能モジュール８と拡張機能モジュール９とを連結させたときに、面接する側面に設けた磁気結合部Ｘ、Ｘ同士および透明部Ｙ，Ｙ同士が夫々対向するようになっている。つまり夫々の給電手段の接続口同士、情報信号の伝達手段の接続口同士が接続された状態となる。
【００４２】
次に図６に示す設置例に基づいて拡張機能モジュール９の種類別の構成を説明する。この図１の場合、空調機器の運転操作器を構成する拡張機能モジュール９ａと、空調機器の温度設定器を構成する拡張機能モジュール９ｂと、インターホンの親機を構成する拡張機能モジュール９ｃとが設置されている。
【００４３】
まず空調機器の運転操作器を構成する拡張機能モジュール９ａの機能部３０は、図９に示すように押釦スイッチからなる運転操作スイッチＳＷａ及び停止操作スイッチＳＷｂと、これら操作スイッチＳＷａ，ＳＷｂの操作データを生成して演算処理部２６にＩ／Ｏインターフェース２７を介して送るデータ生成機能を有するＣＰＵ部３３とで構成され、モジュール本体９Ａの前面部には図６に示すように各操作スイッチＳＷａ，ＳＷｂの操作釦を露出させている。なお照明器具をオン／オフするための壁スイッチを構成する機能モジュール（図示せず）も、空調機器の運転操作器である拡張機能モジュール９ａと同様の構成になる。
【００４４】
一方、この拡張機能モジュール９ａに併設された空調機器の温度設定器を構成する拡張機能モジュール９ｂは、図１０に示すように温度設定用の電子ボリュームからなる温度設定部ＶＲ１と、空調機器を一定時間動作させるタイマ動作の指示と解除を行うための押釦型の操作スイッチＳＷ１と、温度設定部ＶＲ１の回転操作ダイヤル３１に組み込まれて、表示面を回転操作ダイヤル３１の表面に露出させた設定温度表示用の液晶表示器３２と、温度設定部ＶＲ１の抵抗値で決まる設定温度の設定データや押釦スイッチＳＷ１の押操作に応じた操作データを生成して演算処理部２６へＩ／Ｏインターフェース２７を介して送るデータ生成機能、及び、設定された温度値を液晶表示器３２で表示させるための表示制御機能を備えたＣＰＵ部３３とで機能部３０を構成し、モジュール本体９Ａの前面部には図６に示すように回転操作ダイヤル３１、押釦スイッチＳＷ１の操作釦を露出させている。
【００４５】
また、インターホンの親機を構成する拡張機能モジュール９ｃは、図１１に示すように音量調整用電子ボリュームＶＲ２と、受話／送話兼用のスピーカＳＰと、スピーカＳＰの機能を受話用スピーカ又は送話用マイクの何れかに切り替える切替回路３５と、切替回路３５に切替えを指示する押釦スイッチからなる通話スイッチＳＷ２と、押釦スイッチからなる電気錠の解錠操作用スイッチＳＷ３と、デジタル映像信号から映像を再生表示する液晶表示器３４と、演算処理部２６からＩ／Ｏインターフェース２７を介して取り込んだ情報信号から伸張復号して得た受話音声データをＤ／Ａ変換し、アンプＡＰ１と切替回路３５を通じてスピーカＳＰ側へ送出するとともに、スピーカＳＰから切替回路３５とアンプＡＰ２を通じて取り込んだ送話音声信号をＡ／Ｄ変換し、圧縮符号化した後Ｉ／Ｏインターフェース２７を介して演算処理部２６へ送出する音声処理機能、演算処理部２６からＩ／Ｏインターフェース２７を介して取り込んだ情報信号から伸張復号して得た画像データをデジタル映像信号として液晶表示器３４に送出する映像信号処理機能、及びスイッチＳＷ３の操作信号に基づいて電気錠解錠のデータを生成しＩ／Ｏインターフェース２７を介して演算処理部２６へ送出したり、通話スイッチＳＷ２の操作により切替回路３５の切替制御を行う信号を生成する機能を有するＣＰＵ部３３とで機能部３０を構成し、モジュール本体９Ａの前面部には図６に示すように液晶表示器３４の表示面を露出するとともに、音量調整用電子ボリュームＶＲ２の操作部、通話スイッチＳＷ２の操作釦、解錠操作用スイッチＳＷ３の操作釦を夫々露出するとともに、スピーカＳＰに対応する音声入出力用孔３６を開口している。
【００４６】
なお拡張機能モジュール９としては以上の他に照明器具のオン／オフ操作用の壁スイッチや、電力供給を利用した電気カミソリ、電動歯ブラシ、携帯オーディオプレーヤ等の充電器等がある。また前記のインターホンの親機に対応する子機は、玄関に埋設されたスイッチボックス２に取り付けられたゲート装置３に連結される拡張機能モジュール９として構成され、インターホンの通話機能と、訪問者撮影のＴＶカメラと、このＴＶカメラで撮影される画像を、情報信号として伝送するためのデータ処理を行うＣＰＵ部などからなる機能部３０を備えている。また解錠操作用スイッチＳＷ３に対応した電気錠の施／解錠の制御信号を生成して電気錠へ出力する機能を備えた拡張機能モジュール９を玄関内の壁面に埋設したスイッチボックス２に取り付けたゲート装置３に連結する形で設置する。
【００４７】
また例えば図１３に示すように建物内の適所において埋込配設された複数のスイッチボックス２の内、室内の天井面のようなハイポジションＨＰに設けられたスイッチボックス２のゲート装置３には引掛栓刃接続部３８を備えた基本機能モジュール８が接続され、この基本機能モジュール８には人感センサ等のセンサ３９が設けられた拡張機能モジュール９などが連結される。壁スイッチ等で推奨される高さ位置（ミドルポジションＭＰ）に設けられたスイッチボックス２のゲート装置３には、スイッチ手段Ｓが備わった基本機能モジュール８に、インターホン機能部Ｈを持つ拡張機能モジュール９や、空調用コントローラＣＲが備わった拡張機能モジュール９が連結される。更に足元付近（ローポジションＬＰ）に設けられたスイッチボックス２のゲート装置３には、電源コンセント部３７を備えた基本機能モジュール８が接続され、更に足下灯ＬＬを構成する機能モジュール９が連結されている。またハイポジションＨＰやローポジションＬＰのスイッチボックス２のゲート装置３には、スピーカＳＰなどを備えたＢＧＭ用の機能等を併せ持つ基本機能モジュール８を接続したり、ミドルポジションＭＰのスイッチボックス２のゲート装置３には、モニタ装置Ｍを備えた基本機能モジュール８を接続している。またミドルポジションＭＰやハイポジションＨＰのスイッチボックス２に配設されるゲート装置３に接続された基本機能モジュール８には、照明器具や空調機器等を遠隔操作するために赤外線信号よりなるリモコン信号を送信するリモコン機能を有する拡張機能モジュール９を接続して良く、室内の壁面に配設した操作器側の拡張機能モジュール９からリモコン機能を有する拡張機能モジュール９宛に操作や設定のデータからなる情報信号を送信することで、リモコン機能を有する拡張機能モジュール９から受信したデータに対応する赤外線リモコン信号を、手持ち操作のリモコン発信器と同様に発信させ、リモコン信号の受光部を備えた照明器具や空調機器を制御することが可能になる。
【００４８】
ところで、ゲート装置３に接続される情報線Ｌ２は複数種の機器に用いられる情報信号の信号伝送を行うものであり、例えば電話、ＬＡＮなどのネットワーク機器、ＴＶ、インターホン、各種センサなどに用いられる情報信号や、照明器具などの機器を制御するための制御信号の信号伝送に用いられる。したがって、ゲート装置３を介して基本機能モジュール８や拡張機能モジュール９に複数種類の情報信号を伝達することができるから、各機能モジュール８，９では情報線Ｌ２を通じて対応する情報信号を授受することにより所定の機能を実現でき、したがって所望の機能を有する機能モジュール８，９を接続して使用することにより、多種多様な機能をもつシステムを実現することができる。
【００４９】
なお、本配線システムにおいて情報信号を伝送する方式としては、ベースバンド伝送又はブロードバンド伝送の何れを採用しても良く、またプロトコルも何れでも良いが、音声、映像などを用いるインターホンの親機、子機との間にはＪＴ−Ｈ２３２パケットに基づいて音声・映像を相互に伝送することとし、また制御系にあっては操作側からの操作データにより１乃至複数の負荷を操作できるような１対１又は１対Ｎの対応が可能なユニキャスト或いはブロードキャストに対応する経路制御プロトコルを採用すれば良く、特に限定されるものではないので、説明は省略する。またゲート装置３間の使用プロトコルと、ゲート装置３に連なる機能モジュール８，９での使用プロトコルを異ならせ、例えばゲート装置３にプロトコル変換を行うようにしても良い。
【００５０】
本配線システムに用いる各機能モジュール８，９は上記のような構成を有しており、これらの機能モジュール８，９を使用するに当たっては、まず建物の適所の壁面に予め埋設してあるスイッチボックス２から電力線Ｌ１および情報線Ｌ２を引き出して、これら電力線Ｌ１および情報線Ｌ２をゲート装置３に取り付けた後、このゲート装置３を取付枠４を介してスイッチボックス２に取り付ける。そして、ゲート装置３の前面部に設けた栓刃挿入口４０，４１の一端側（左回り方向の端部）に、基本機能モジュール８の背面に設けた栓刃４４，４５を挿入した後、基本機能モジュール８のモジュール本体８Ａを右回りに回転させて、各栓刃４４，４５を栓刃挿入口４０，４１の他端側へ移動させると、各栓刃４４，４５がゲート装置３の刃受部材４２，４３に電気的に接続されるとともに、電源用引掛栓刃４４が電源用引掛刃受部材４２に機械的に接続されることで、基本機能モジュール８がゲート装置３の前面部を覆うようにして取付枠４に取り付けられる。この取付状態において基本機能モジュール８は壁面よりも前面部が突出し、両側面が室内側に露出することになる。ここで、本配線システムでは電源用引掛栓刃４４を栓刃挿入口４０の一端側（幅広部４０ａ）から挿入して、栓刃挿入口４０の他端側へ移動させると、電源用引掛栓刃４４が電源用引掛刃受部材４２によって引掛保持されるので、基本機能モジュール８がゲート装置３から脱落するのを防止できる。しかも電源用引掛栓刃４４を栓刃挿入口４０の他端側から一端側（幅広部４０ａ）へ移動させると、電源用引掛栓刃４４と電源用引掛刃受部材４２との保持状態が解除されるので、基本機能モジュール８をゲート装置３から容易に取り外すことができる。さらに電源用引掛栓刃４４と電源用引掛刃受部材４２とで電気的な接続と機械的な保持の両方を行うことができるから、電気的な接続を行う部材で機械的な保持を行う部材を兼用でき、部品数を削減してゲート装置３や基本機能モジュール８の小型化を図ることができる。
【００５１】
基本機能モジュール８と共に機能装置を構成する拡張機能モジュール９は、基本機能モジュール８の露出した両側側面の一方に片側の側面を面接させ、この状態で連結体１０を用いて拡張機能モジュール９と基本機能モジュール８とを機械的に連結する。このとき拡張機能モジュール９の背面はスイッチボックス２の側方の壁面に沿うことになり、例えば壁面にクロス貼り等が施されている場合、拡張機能モジュール９の背面の位置が多少ずれていてもそれを吸収して背面を壁部に密接させた状態に配設することができ、拡張機能モジュール９の前面部から操作力等が加わっても連結部位に加わる荷重を軽減することができる。
【００５２】
更に先に連結した拡張機能モジュール９に別の拡張機能モジュール９を連結する場合には、対向側面を面接させた状態で連結体１０により互いに機械的に連結する。このようにして図１に示すように順次拡張機能モジュール９（９ａ〜９ｃ）を側方に連結することができる。上述のように機能装置を構成する基本機能モジュール８および拡張機能モジュール９は、造営面への取付状態において左右両画面に給電手段と情報伝達手段を備えており、各機能モジュール８，９に対して左右両側に他の機能モジュール８，９を連結することができるので、基本機能モジュール８の両側方向に１乃至複数台の拡張機能モジュール９を連結しても良く、両機能モジュール８，９の接続方向が１方向に限定されないから、接続方向の自由度が向上するという利点がある。また先行配線された電力線Ｌ１から電力を得るとともに、情報線Ｌ２を介して情報信号の授受を行う基本機能モジュール８に対して拡張機能モジュール９を接続するだけで、基本機能モジュール８及び拡張機能モジュール９において電力路と情報路とを両方共に確保することができるから、多種多様な機能を持つシステム構築が可能であり、しかも各機能モジュール８，９の追加や変更に特別な施工が不要であるから、一般ユーザーの好みに合わせて機能モジュール８，９を連結して使用することで、システムの拡張性が確保される。
【００５３】
そして、基本機能モジュール８に１乃至複数台の拡張機能モジュール９を連結した後、両端に位置する拡張機能モジュール９又は基本機能モジュール８の反連結部位の側部に着脱自在にエンドカバー２８を被着することで、拡張機能モジュール９の連結施工が完了することになる。なお基本機能モジュール８に連結できる拡張機能モジュール９の台数は連結部位に加わる荷重の大きさによって制限があり、また基本機能モジュール８のＡＣ／ＡＣコンバータ１３の電力供給能力によっても制限される。また基本機能モジュール８に対して拡張機能モジュール９を連結しない場合にはエンドカバー２８を基本機能モジュール８の両側部に被着すれば良い。
【００５４】
上述のように拡張機能モジュール９を連結した基本機能モジュール８では、ＡＣ／ＡＣコンバータ１３によって商用電源ＡＣを所定電圧に降圧し且つ周波数を高い周波数に変換した低圧交流電源を生成し、この低圧交流電源を隣接する拡張機能モジュール９に非接触で給電している。また基本機能モジュール８から電力供給を受けた拡張機能モジュール９では、更に別の拡張機能モジュール９が連結されている場合、内部回路を経て磁気結合による非接触給電で電力を更に供給するのである。このようにして基本機能モジュール８側から最外端に存在する拡張機能モジュール９まで低圧交流電源を非接触で供給する電力路が構築されることになる。
【００５５】
また基本機能モジュール８および拡張機能モジュール９において、情報信号をＥ／Ｏ変換を経て送り出すとともに、情報信号をＯ／Ｅ変換を経て取り込むことにより、連結した基本機能モジュール８と拡張機能モジュール９との間、或いは、拡張機能モジュール９，９の間で、光信号からなる情報信号を発光素子ＬＥＤ、受光素子ＰＤを用いて非接触で双方向に伝送することができる情報路が構築されることになる。
【００５６】
以上のようにして配設施工が終了し、システムが完成した後は、対応する機能モジュール８，９間で情報信号の授受を行い、拡張機能モジュール９が図６に示すようにインターホンの親機を構成する拡張機能モジュール９ｃであれば子機の拡張機能モジュール９との間でインターホンシステムを構成し、両者間での通話を可能とするとともに、子機側のカメラで撮像する来訪者を親機側の拡張機能モジュール９ｃでモニタすることができる。また玄関の電気錠の解錠操作も遠隔により行えることになる。また拡張機能モジュール９が図６に示すように空調機器の運転操作器を構成する拡張機能モジュール９ａや温度設定器を構成する拡張機能モジュール９ｂの場合には、上述したリモコン機能を有する拡張機能モジュール９を通じて空調機器の遠隔制御システムを構成し、拡張機能モジュール９ａの操作スイッチＳＷａ，ＳＷｂにより空調機器の運転／停止の遠隔制御が行え、また拡張機能モジュール９ｂの温度設定部ＶＲ１による温度設定や、押釦スイッチＳＷ１の操作によるタイマ運転等も同様に遠隔で行えることになる。
【００５７】
なお本実施形態に用いるゲート装置３は取付枠４を介してスイッチボックス２に取り付けているが、スイッチボックス２の奥壁にゲート装置３を直接取り付け、基本機能モジュール８をスイッチボックス２に取り付ける構成としても勿論良い。
【００５８】
（実施形態２）
本発明の実施形態２を図１５および図１６に基づいて説明する。尚、ゲート装置３と基本機能モジュール８とを電気的且つ機械的に接続する構成以外は実施形態１と同様であるので、共通する構成要素には同一の符号を付してその説明は省略する。
【００５９】
上述の実施形態１では、ゲート装置３に設けた電源用引掛刃受部材４２と基本機能モジュール８に設けた電源用引掛栓刃４４とで抜止手段を構成しているのに対して、本実施形態では図１５に示すように、基本機能モジュール８の背面部に、側面視の形状が略Ｌ字形に形成されて先端が下向きに突出する各一対の引掛端子４８，４９を設けるとともに、ゲート装置３の器体３ａ前面部に造営面への取付状態において鉛直方向に沿って延びる端子挿入口４６，４７を設け、各端子挿入口４６，４７の上端側から挿入された引掛端子４８，４９の下端側への移動時に引掛端子４８，４９をそれぞれ各一対の挟持片５０ａ，５１ａの間に挟持する被接続端子５０，５１を器体３ａ内部に収納してある。なお基本機能モジュール８の背面部に設けた各一対の引掛端子４８，４９の内、上側の２つの引掛端子４８は電力用の接続端子となり、下側の２つの引掛端子４９は情報用の接続端子となっている。
【００６０】
ここで、基本機能モジュール８をゲート装置３に取り付けるに当たっては、基本機能モジュール８をゲート装置３の前面側から近付けて、基本機能モジュール８の背面に設けた引掛端子４８，４９をそれぞれ対応する端子挿入口４６，４７に挿入した後、基本機能モジュール８を下側に移動させると、図１６に示すように各引掛端子４８，４９の基部が端子挿入口４６，４７の下端側へ移動し、引掛端子４８，４９の先端から下向きに突出する接触片４８ａ，４９ａが、それぞれ、被接続端子５０，５１の備える各一対の挟持片５０ａ，５１ａの間に挟持されることによって、各引掛端子４８，４９が被接続端子５０，５１にそれぞれ電気的に接続される。このとき、各引掛端子４８，４９の接触片４８ａ，４９ａが端子挿入口４６，４７の下側の周部に引掛係止され、基本機能モジュール８の自重により各引掛端子４８，４９には下向きの力が加わるので、被接続端子５０，５１との接続状態が維持される。ここに、基本機能モジュール８の引掛端子４８，４９とゲート装置３の被接続端子５０，５１とで抜止手段が構成される。
【００６１】
一方、基本機能モジュール８をゲート装置３から取り外す際には、基本機能モジュール８を上側に移動させると、各引掛端子４８，４９が端子挿入口４６，４７内を上端側へ移動して、被接続端子５０，５１との接続状態が解除され、その後基本機能モジュール８を前方へ移動させると、各引掛端子４８，４９を端子挿入口４６，４７から外側へ抜き出すことができるので、基本機能モジュール８をゲート装置３から容易に取り外すことができる。また本実施形態においても、引掛端子４８，４９が被接続端子５０，５１に電気的に接続されるとともに、端子挿入口４６，４７の孔縁に引掛係止することで、引掛端子４８，４９により電気的な接続と機械的な保持の両方を行うことができるから、電気的な接続を行う部材で機械的な保持を行う部材を兼用でき、部品数を削減してゲート装置３や基本機能モジュール８の小型化を図ることができる。
【００６２】
ところで、本実施形態では基本機能モジュール８側に引掛端子４８，４９を設けるとともに、ゲート装置３側に各引掛端子４８，４９が挿入される端子挿入口４６，４７と、端子挿入口４６，４７から挿入される引掛端子４８，４９に電気的に接続される被接続端子５０，５１とを設けているが、ゲート装置３側に引掛端子４８，４９を設けるとともに、基本機能モジュール８側に各引掛端子４８，４９が挿入される端子挿入口４６，４７と、端子挿入口４６，４７から挿入される引掛端子４８，４９に電気的に接続される被接続端子５０，５１とを設けても良い。
【００６３】
また、接続端子や端子挿入口や被接続端子の形態を、図１５および図１６に示す形態に限定する趣旨のものではなく、例えば図１７に示すように基本機能モジュール８の背面部に、棒状であって先端部に大径部５４ａ，５５ａを有する各一対の引掛端子５４，５５を突設するとともに、ゲート装置３の器体３ａ前面部において、各引掛端子５４，５５と対応する部位に、長孔５２ｂ，５３ｂの上端部に長孔５２ｂ，５３ｂよりも大径の丸孔５２ａ，５３ａが連続するだるま孔形状の各一対の端子挿入口５２，５３を設け、さらに端子挿入口５２，５３の丸孔５２ａ，５３ａから挿入された引掛端子５４，５５の下端側への移動時に引掛端子５４，５５を引掛保持する被接続端子５６，５７を器体３ａ内部に収納するようにしても良い。
【００６４】
この場合も上述と同様に、基本機能モジュール８をゲート装置３の前面側から近付けて、基本機能モジュール８の背面に設けた引掛端子５４，５５をそれぞれ対応する端子挿入口５２，５３の丸孔５２ａ，５３ａに挿入した後、基本機能モジュール８を下側に移動させると、各引掛端子５４，５５が端子挿入口５２，５３の長孔５２ｂ，５３ｂ内に挿入されて、ゲート装置３内部に収納された被接続端子５６，５７に電気的に接続される。このとき引掛端子５４，５５の大径部５４ａ，５５ｂが、それぞれ、端子挿入口５２，５３の長孔５２ｂ，５３ｂの周部に引掛係止され、基本機能モジュール８の自重により各引掛端子５４，５５には下向きの力が加わるので、被接続端子５０，５１との接続状態が維持される。この取付状態においては引掛端子５４，５５が被接続端子５６，５７に電気的に接続されるとともに、端子挿入口５２，５３の長孔５２ｂ，５３ｂの孔縁に引掛係止することで、引掛端子５４，５５により電気的な接続と機械的な保持の両方を行うことができるから、電気的な接続を行う部材で機械的な保持を行う部材を兼用でき、部品数を削減してゲート装置３や基本機能モジュール８の小型化を図ることができる。ここに、基本機能モジュール８の引掛端子５４，５５とゲート装置３の被接続端子５６，５７とで抜止手段が構成される。
【００６５】
なお、基本機能モジュール８をゲート装置３から取り外す際には、基本機能モジュール８を上側に移動させると、各引掛端子５４，５５の大径部５４ａ，５５ａが端子挿入口５２，５３内を上側へ移動して、被接続端子５６，５７との接続状態が解除される。そして、各引掛端子５４，５５の大径部５４ａ，５５ａを端子挿入口５２，５３の丸孔５２ａ，５３ａ側に移動させた後、基本機能モジュール８を前方へ移動させると、各引掛端子５４，５５を端子挿入口５２，５３から外側へ抜き出すことができ、基本機能モジュール８をゲート装置３から容易に取り外すことができる。
【００６６】
（参考例）
本発明の参考例を図１８に基づいて説明する。尚、ゲート装置３と基本機能モジュール８とを電気的且つ機械的に接続する構成以外は実施形態１と同様であるので、共通する構成要素には同一の符号を付してその説明は省略する。
【００６７】
この配線システムでは、ゲート装置３の器体３ａ前面部に、電力線Ｌ１が接続される端子部５ａ，５ａ’に電気的に接続された接触部（図示せず）を備える電力路接続口６Ａと、情報線Ｌ２が接続される端子部５ｂ，５ｂ’に電気的に接続された導電部（図示せず）を備える情報路接続口６Ｂとを有してモジュール化した接続口６を設けてある。また器体３ａ前面部には接続口６の上下両側にそれぞれ係止孔５８，５８を形成してある。
【００６８】
一方、基本機能モジュール８のモジュール本体８Ａ背面部には、ゲート装置３の各接続口６Ａ，６Ｂに接続される被接続部７Ａ、７Ｂを有したコネクタ７を設けてあり、コネクタ７の被接続部７Ａ、７Ｂをゲート装置３の各接続口６Ａ，６Ｂに結合することによって、ゲート装置３のボディ前面部を覆うようにして基本機能モジュール８を取着するようになっており、ゲート装置３と基本機能モジュール８とが各接続口６Ａ，６Ｂと各被接続部７Ａ，７Ｂとを介して電気的に接続されるようになっている。またモジュール本体８Ａの背面には、ゲート装置３の係止孔５８，５８内に挿入される弾性係止爪片５９，５９を突設してあり、各弾性係止爪片５９の先端の爪５９ａが係止孔５８の周縁部と係止することで、基本機能モジュール８の抜け止めを行うようになっている。
【００６９】
ここで、基本機能モジュール８をゲート装置３に取り付けるに当たっては、基本機能モジュール８をゲート装置３の前面側から近付けて、基本機能モジュール８の背面に設けたコネクタ７の被接続部７Ａ，７Ｂをそれぞれ対応する接続口６Ａ，６Ｂに挿入するとともに、弾性係止爪片５９を係止孔５８内に挿入して、先端の爪５９ａを係止孔５８の周部背面と係止させることで、基本機能モジュール８をゲート装置３に取り付けてある。この取付状態において、コネクタ７の被接続部７Ａ，７Ｂが各接続口６Ａ，６Ｂに挿入されるので、基本機能モジュール８がゲート装置３を介して電力線Ｌ１および情報線Ｌ２に電気的に接続されることになる。また電気的な接続を行う接続口６および被接続口（コネクタ７）とは別に設けた弾性係止爪片５９の爪５９ａ（係止部）が係止孔５８（被係止部）の周部と係止することで、基本機能モジュール８の抜け止めが行われるので、基本機能モジュール８がゲート装置３から脱落するのを防止することができる。
【００７０】
（実施形態３）
上述の実施形態１、２及び参考例では共に電力（電源）の送りと、情報信号の受け渡しは別系統で行っているが、本実施形態では、システム全体の情報信号の伝送方式を電力線搬送で行うことにより、電力路と情報路との共通化を図ったものである。
【００７１】
つまり各スイッチボックス２での先行配線は電力線Ｌ１のみとし、これに対応して図１９に示すようにゲート装置３の端子部５ｂ，５ｂ’および刃受部材４３，４３を無くして、器体３ａ前面部の栓刃挿入口は図１に示す電源用栓刃挿入口４０のみとしてある。また、これに対応する基本機能モジュール８の栓刃も電源用栓刃挿入口４０に対応した電源用引掛栓刃４４のみとしている。
【００７２】
そして、基本機能モジュール８において、電源用引掛栓刃４４を介して電力線Ｌ１に接続され、電力線搬送通信により情報信号を授受するＰＬＣモデム（電力線搬送通信手段）１５ａを設けており、送受信部１５では、ＰＬＣモデム１５ａを介して受信された情報信号をＥ／Ｏ変換部１６により光信号で送信させるとともに、Ｏ／Ｅ変換部１７が受光した光信号よりなる情報信号を、ＰＬＣモデム１５ａから電力線搬送通信によって電力線Ｌ１に送信させている。また送受信部１５は、ＰＬＣモデム１５ａを介して受信された情報信号を演算処理部２６に出力して、演算処理部２６によりデータ処理を行わせるとともに、演算処理部２６から入力された情報信号をＰＬＣモデム１５ａからゲート装置３を介して電力線Ｌ１へ電力線搬送通信によって送信させている。このように、基本機能モジュール８に設けたＰＬＣモデム１５ａが電力線Ｌ１を通じて電力線搬送通信により信号伝送を行っているので、電力線Ｌ１で情報線Ｌ２を兼用することができ、配線の数を減らして、配線施工の手間を少なくできる。
【００７３】
尚、本実施形態では基本機能モジュール８にＰＬＣモデム１５ａを設け、このＰＬＣモデム１５ａにより電力線Ｌ１を通じて電力線搬送通信を行い、基本機能モジュール８と拡張機能モジュール９との間では光信号により情報信号を送受信しているが、ゲート装置３にＰＬＣモデムを設け、ゲート装置３のＰＬＣモデムにより電源波形から分離された情報信号を実施形態１で説明した刃受部材４３および栓刃４５を介して基本機能モジュール８に出力するとともに、基本機能モジュール８から栓刃４５および刃受部材４３を介してゲート装置３に入力された情報信号をＰＬＣモデムが電源波形に重畳して電力線Ｌ１に出力するようにしても良い。また、機能モジュール８，９にそれぞれＰＬＣモデムを設け、各機能モジュール８，９を電力線Ｌ１に接続して、各機能モジュール８，９のＰＬＣモデムにより電力線搬送通信で情報信号を送受信するようにしても良い。
【００７４】
なお本実施形態で採用する電力線搬送の変調方式としては広帯域スペクトラム拡散方式、マルチキャリア方式、ＯＦＤＭ方式等各種方式の何れでも良いので、ここでは特に説明はしない。
【図面の簡単な説明】
【００７５】
【図１】実施形態１に用いるゲート装置から基本機能モジュールを外した状態の説明図である。
【図２】同上に用いる基本機能モジュールを前面側から見た外観斜視図である。
【図３】（ａ）は同上に用いる基本機能モジュールの化粧カバーを外した状態の斜視図、（ｂ）は同上に用いる連結体の斜視図である。
【図４】同上に用いる基本機能モジュールと拡張機能モジュールとの連結構成の説明図である。
【図５】同上に用いる拡張機能モジュールを示し、（ａ）は正面図、（ｂ）は側面図、（ｃ）は蓋部を開き、連結体を外した状態の側面図である。
【図６】（ａ）は同上に用いるゲート装置、基本機能モジュールおよび拡張機能モジュールの施工状態を示す説明図、（ｂ）は背面側から見た要部拡大斜視図である。
【図７】同上に用いるゲート装置および基本機能モジュールの回路構成図である。
【図８】同上に用いる拡張機能モジュールの回路構成図である。
【図９】同上に用いる空調機器の運転操作器を構成する機能モジュールの要部回路図である。
【図１０】同上に用いる空調機器の温度設定器を構成する機能モジュールの要部回路図である。
【図１１】同上に用いるインターホン親機を構成する機能モジュールの要部回路図である。
【図１２】同上の配線システムの構成図である。
【図１３】同上の配線システムの他の構成を示す構成図である。
【図１４】同上に用いるゲート装置の刃受部材と基本機能モジュールの栓刃との接続状態を示した要部拡大図である。
【図１５】実施形態２に用いるゲート装置から基本機能モジュールを外した状態の説明図である。
【図１６】同上の引掛端子と被接続端子との接続状態を示した要部拡大図である。
【図１７】実施形態２に用いる他の構成のゲート装置から基本機能モジュールを外した状態の説明図である。
【図１８】参考例に用いるゲート装置から基本機能モジュールを外した状態の説明図である。
【図１９】実施形態３に用いるゲート装置および基本機能モジュールの回路構成図である。
【符号の説明】
【００７６】
３    ゲート装置
３ａ  器体
８    基本機能モジュール
８Ａ  モジュール本体
４０  電源用栓刃挿入口
４０ａ  幅広部
４１  情報用栓刃挿入口
４４  電源用引掛栓刃
４５  情報用栓刃
【図１】
0004613819.tif 000002
【図２】
0004613819.tif 000003
【図３】
0004613819.tif 000004
【図４】
0004613819.tif 000005
【図５】
0004613819.tif 000006
【図６】
0004613819.tif 000007
【図７】
0004613819.tif 000008
【図８】
0004613819.tif 000009
【図９】
0004613819.tif 000010
【図１０】
0004613819.tif 000011
【図１１】
0004613819.tif 000012
【図１２】
0004613819.tif 000013
【図１３】
0004613819.tif 000014
【図１４】
0004613819.tif 000015
【図１５】
0004613819.tif 000016
【図１６】
0004613819.tif 000017
【図１７】
0004613819.tif 000018
【図１８】
0004613819.tif 000019
【図１９】
0004613819.tif 000020